(57)【要約】【課題】電池収納部に電池が逆挿入されても、絶縁性の確保を確実に行う。【解決手段】電池の円形凸部形状をした正電極３ａと接触する正極端子９と、電池の円形平面形状をした負電極３ｂと接触する負極端子１２ｃ，１４とを具備する電池収納部２を有し、前記正極端子と前記負極端子の少なくとも一方がバネ性能をもち、所定の接触圧をもって電池の各電極に接触する構造の電子機器において、前記負極端子は、前記電池の正電極の前記円形凸部の円径よりも大きくかつ前記電池の負電極の前記円形平面の円径よりも小さい範囲で、前記電池の負電極と接触する負極接触部１２ｃと、該負極接触部の内周側に配置され、凹部状に陥没しその陥没量が前記円形凸部の突起量よりも少ない絶縁凹部１４とを有する。【選択図】        図４
2004253263.tif 000002
【特許請求の範囲】
【請求項１】
電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、所定の接触圧をもって電池の各電極に接触する構造の電子機器において、
前記負極端子は、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、凹部状に陥没しその陥没量が前記円形凸部の突起量よりも少ない絶縁凹部とを有することを特徴とする電子機器。
【発明の詳細な説明】
【０００１】
【発明の属する技術分野】
本発明は、電池の円形凸部形状をした正電極側と接触する正極端子と、電池の円形平面形状をした負電極側と接触する負極端子とを具備する電池収納部を有する電子機器の改良に関するものである。
【０００２】
【従来の技術】
小型携帯式の電子機器には、単三電池のような汎用の円筒形電池がよく用いられる。図１２に一例として、デジタルカメラ２１の電池収納部２２に複数の電池２３〜２６を収納する様子を示す。
【０００３】
電池２３〜２６は電池収納部２２に対してそれぞれ挿入方向が指定されており、ユーザーは電池２３と２５は正極側から、電池２４と２６は負極側から電池収納部２２に対して挿入し、電池蓋２７を閉じる。
【０００４】
すると、図１３のように、電池収納部２２の中に設けられた正極端子２８および２９が正電極２３ａおよび２５ａに接触し、負極端子３０および３１が負電極２４ｂおよび２６ｂに接触する。このとき、各端子２８〜３１はバネ性能を有しているので、所定の接触圧をもって各電極に接触している。また、絶縁性の樹脂で形成された電池蓋２７の内側面に設けられている負極端子３２および３３が負電極２３ｂおよび２５ｂに接触し、正極端子３４および３５が正電極２４ａおよび２６ａに接触する。ここで、負極端子３０と正極端子２９、負極端子３２と正極端子３４、負極端子３３と正極端子３５はそれぞれ直結されているので、結局、正極端子２８と負極端子３１の間に直列の電池４本分の電圧が得られ、デジタルカメラ２１の駆動電源として内部に取り込むことができる。
【０００５】
ところで、電池２３〜２６は円筒形であり、ユーザーによって所定の挿入方向と逆方向に電池収納部２２へ挿入されてしまうことも起こりうる。もし誤って、あるいは故意にこのような逆挿入が行われた場合、所望の電圧が得られぬばかりか、逆挿入された電池には正しい放電電流とは逆方向に通電が生じ、電池の発熱や液漏れを起こす危険がある。
【０００６】
そこでこれを防ぐために、電池２３〜２６の正電極２３ａ〜２６ａの円形凸形状を利用した逆挿入時の接触防止機構が設けられている。すなわち、電池蓋２７に設けられた負極端子３２および３３は、中央部に穴が空けられ、その周囲が盛り上がっており、穴に絶縁部材３６，３７が設けられている。この構造だと、電池２３，２５が正しく挿入された場合は負電極２３ｂ，２５ｂが負極端子３２，３４に接触して通電可能であるが、例えば電池２３が逆挿入された場合は、図１４に示すように、正電極２３ａが絶縁部材３６に当たるので、負極端子３２に接触せず、通電不可能である。
【０００７】
また、電池蓋２７に設けられた正極端子３４および３５は、中央部は平面で、その周囲に絶縁部材３８，３９が設けられている。この構造だと、電池２４，２６が正しく挿入された場合は、正電極２４ａ，２６ａが正極端子３４，３５に接触して通電可能であるが、例えば電池２４が逆挿入された場合は、図１４に示すように、負電極２４ｂが絶縁部材３８に当たるので、負極端子３４に接触せず、通電不可能である。
【０００８】
【発明が解決しようとする課題】
ところで、電池２３〜２６の挿脱を容易で確実なものにするために、電池収納部２２が電池外径を上回るサイズとなるよう、隙間を設定することは当然であるが、ここで問題となるのは、この隙間分のガタツキにより、図１５（ａ）のように、逆挿入された電池２３が、図１５（ｂ）のように横ずれして、正電極２３ａが負極端子３２に接触し、逆通電が発生してしまうことである。特に単三電池のように世界的に汎用電池では、機器本体と同時開発できる専用電池とは異なり、ある程度の電池外径のバラツキを想定せねばならず、電池と電池収納部とのクリアランス量を相当量多めに設定しておかねばならない。しかも、複数の電池をまとめて収納するとなると、各電池毎のクリアランスが累積し、より大きなガタツキをもつ事となる。
【０００９】
（発明の目的）
本発明の目的は、電池収納部に電池が逆挿入されても、絶縁性の確保を確実に行うことのできる電子機器を提供しようとするものである。
【００１０】
【課題を解決するための手段】
上記目的を達成するために、本発明は、電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、所定の接触圧をもって電池の各電極に接触する構造の電子機器において、前記負極端子は、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、凹部状に陥没しその陥没量が前記円形凸部の突起量よりも少ない絶縁凹部とを有する電子機器とするものである。
【００１１】
【発明の実施の形態】
以下、本発明を図示の実施の形態に基づいて詳細に説明する。
【００１２】
（実施の第１の形態）
図１乃至図７を用いて、本発明の実施の第１の形態について説明する。
【００１３】
図１は本発明の実施の第１の形態に係る電子機器の一例であるカメラを示す図であり、同図において、１はカメラ本体、２は電池収納部、３〜６は電池収納部２に収納される第１〜第４の単三電池、７は電池収納部２の入口を閉塞する電池蓋である。なお、他の本体構造については本発明とは直接関係しないので、ここでは省略する。
【００１４】
次に、図２を用いて電池収納部２について説明する。
【００１５】
図２（ａ）は電池収納部２の平面図、図２（ｂ）は図２（ａ）のＡ−Ａ断面図であり、同図において、８は樹脂材で形成された端子保持部で、電池収納部２の奥壁を成し、後述の第４端子１２、第５端子１３が設けられる電池室７の内側面が電池収納部２の手前の壁を成す。９は第１端子、１０は第２端子、１１は第３端子であり、それぞれ端子保持部８に対して取付部９ａ，１０ａ，１１ａにて固定され、バネ部９ｂ，１０ｂ，１０ｄ，１１ｂを介して、第１正極接触部９ｃが第１の単三電池３の正電極３ａに、第２負極接触部１０ｃが第２の単三電池４の負電極４ｂに、第３正極接触部１０ｅが第３の単三電池５の正電極５ａに、第４負極接触部１１ｃが第４の単三電池６の負電極６ｂに、それぞれ接触圧を加えている。また、第１端子９は接続部９ｅからカメラ本体内部へ導電し、同じく第３負極端子１１も接続部１１ｅからカメラ本体内部へ導電して、カメラの駆動電源を供給する構造となっている。
【００１６】
次に、図３を用いて、電池収納部２の手前の壁を成す、電池蓋７の内側面に設けられる端子について説明する。
【００１７】
図３（ａ）は電池蓋７の内側面の平面図、図３（ｂ）は図３（ａ）のＢ−Ｂ断面図であり、同図において、電池蓋７は樹脂材で形成されている。１２は第４端子、１３は第５端子であり、それぞれ電池蓋７に対して取付部１２ａ，１３ａにて固定され、バネ部１２ｂ，１２ｄ，１３ｂ，１３ｄを介して、第１負極接触部１２ｃが第１の単三電池３の負電極３ｂに、第２正極接触部１２ｅが第２の単三電池４の正電極４ａに、第３負極接触部１３ｃが第３の単三電池５の負電極５ｂに、第４正極接触部１３ｅが第４の単三電池６の正電極６ａに、それぞれ接触圧を加えている。また、第１負極接触部１２ｃおよび第３負極接触部１３ｃはそれぞれ内周部分が陥没し、中央に絶縁部材１４，１５が取り付けられている。絶縁部材１４，１５は断面が円錐形状となっており、円周部は負極接触部１２ｃ，１３ｃに対して陥没量が浅く、中央部は深い。さらにその陥没量は、単三電池３，５の正電極３ａ，５ａ（図２（ｂ）参照）の突起量よりも少なく設定されているが、これの詳細については後述する。
【００１８】
また、第２正極接触部１２ｅおよび第４正極接触部１３ｅの近傍にもそれぞれ絶縁部材１６，１７が取り付けられている。その取付位置は、単三電池４，６の正電極４ａ，６ａの円形凸部の円径よりも大きく、負電極４ｂ，６ｂ（図２（ｂ）参照）の円形平面の円径よりも小さい範囲内に納まるようになっており、かつ、その突起量は、正電極４ａ，６ａの円形凸部の突起量よりも少ない。この詳細についても後述する。
【００１９】
本発明の実施の第１の形態に係る電子機器の一例であるカメラの主要部分は、以上のように構成されている。
【００２０】
次に、上記構成のカメラに電池が挿入される際について説明する。
【００２１】
まず、第１〜第４の単三電池３〜６が電池収納部２内へ全て正しい向きに挿入された場合は、図４のようになる。すなわち、第１の単三電池３の正電極３ａには第１端子９の第１正極接触部９ｃが、負電極３ｂには第４端子１２の第１負極接触部１２ｃが、それぞれ接し、バネ部９ｂおよび１２ｂ（図４では不図示）のバネ圧によって適正な接触圧が加えられている。以下同様に、第２〜第４の単三電池４〜６にもそれぞれ端子が接触し、第１端子９と第３端子１１の間に直列に電池４本分の電圧が得られ、カメラ本体内部へ導電されている。
【００２２】
ここで、図５にて、第１の単三電池３の負電極３ｂと第４端子１２の第１負極接触部１２ｃとの接触状態をみると、負電極３ｂは第１の単三電池３の端面を広く占める円形となっている。それに相対するように第１負極接触部１２ｃも円形を成しているが、中央の内周部分が陥没しており、負電極３ｂと接触するのは円周部ということになる。また、中央に絶縁部材１４が設けられているが、前述の様に絶縁部材１４は第１負極接触部１２ｃに対して陥没した位置にあるため、負電極３ｂとの間には隙間Ｌ１が確保され、負電極３ｂと第１負極接触部１２ｃが接触するのを妨げない。
【００２３】
これは、第３の単三電池５の負電極５ｂと第５端子１３の第３負極接触部１３ｃとの接触状態においても同様である。
【００２４】
次に、第２の単三電池４の正電極４ａと第４端子１２の第２正極接触部１２ｅとの接触状態をみると、正電極４ａは第２の単三電池４の端面の中央に突出した円形凸部である。それに相対して接触できるように、第２正極接触部１２ｅは平面を成している。また、第２正極接触部１２ｅの近傍に絶縁部材１６が取り付けられているが、これも前述のように正電極４ａの円形凸部の円径よりも大きい離れた位置にあり、かつ、その突起量は正電極４ａの円形凸部の突起量よりも少ないので、第２の単三電池４との間には隙間Ｌ２が確保され、正電極４ａと第２正極接触部１２ｅが接触するのを妨げない。
【００２５】
これは、第４の単三電池６の正電極６ａと第５端子１３の第４正極接触部１３ｆとの接触状態においても同様である。
【００２６】
次に、図６を用いて、電池が逆挿入された場合を説明する。
【００２７】
まず、第１の単三電池３が逆挿入された場合、正電極３ａが第４端子１２の第１負極接触部１２ｃと相対することになる。ところが第１負極接触部１２ｃは導電部分が円周部だけで、中央の内周部分は陥没し、そこに絶縁部材１４が設けられている。しかも前述の様に、その陥没量は正電極３ａの突起量よりも少なく設定されているため、第１単三電池３と第１負極接触部１２ｃの間には隙間Ｌ３が確保され、接触導通してしまうことはない。しかも、絶縁部材１４は円周部１４ａの陥没量が浅く、中央部１４ｂが深い円錐断面形状となっているため、第４端子１２がバネ部１２ｂを介して第１負極接触部１２ｃが第１の単三電池３の正電極３ａに加えている接触圧により、正電極３ａは常に絶縁部材１４の円錐断面の中央部１４ｂに向かって寄せられ、第１負極接触部１２ｃとの距離を保つ様に作用する。従って、もしこの状態でカメラ本体１に強い衝撃を加えて第１の単三電池３が横ずれして正電極３ａが第１負極接触部１２ｃに瞬間的に当たったとしても、直ちに絶縁部材１４の中央位置に戻され絶縁状態が復活するので、安全である。また、この絶縁部材１４は第１負極接触部１２ｃに固設されて一体に変位する構成であるので、第１負極接触部１２ｃがバネ部１２ｂを介して変位しても常に所定位置を維持する機能を持つ為、第４端子１２は絶縁構造と接触圧構造の両方をコンパクトに形成することが出来る。
【００２８】
これは、第３の単三電池５が逆挿入された場合においても同様である。
【００２９】
次に、第２の単三電池４が逆挿入された場合について説明する。第２の単三電池４が逆挿入されると、図６に示すように、負電極４ｂが第４端子１２の第２正極接触部１２ｆと相対することになる。ところが第２正極接触部１２ｆの近傍には負電極４ｂの円形平面の円径よりも小さい範囲内に絶縁部材１６が取り付けられているので、負電極４ｂと第２正極接触部１２ｆとの間には隙間Ｌ４が確保され、接触導通してしまうことはない。また、この絶縁部材１６は第２正極接触部１２ｆに固設して一体に変位するようにしたので、第２正極接触部１２ｆがバネ部１２ｅを介して変位しても常に所定位置を維持でき、第４端子１２に絶縁構造と接触圧構造の両方をコンパクトに形成している。
【００３０】
なお、図６（図７（ａ），（ｂ）は第４端子１２と絶縁部材１６のみを示す）では、絶縁部材１６は円弧状に形成しているようにしたが、この場合、絶縁部材１６は体積が大きく第２正極接触部１２ｆとの共有面積も十分確保でき、強固に固設できるため、電池蓋７を頻繁に開閉したり、電池交換の最中に電池や手で接触しやすい場合にも強度を確保することができる。また、図７（ｃ），（ｄ）のように、柱状に形成した場合は、絶縁部材１６′の面積を必要最小限にしてコンパクトに形成し、例えば電池蓋７に必要な開閉機構のスペースを取りやすくできる。
【００３１】
これは、第４の単三電池６が逆挿入された場合においても同様である。
【００３２】
（実施の第２の形態）
次に、図８乃至図１１を用いて、本発明の実施の第２の形態について説明する。
【００３３】
本発明の実施の第２の形態が、上記実施の第１の形態と異なる点は、負極端子に設ける絶縁部材を、円錐断面形状から、コの字断面形状に変更した点である。この実施の第２の形態におけるカメラの外観図は図１と、電池収納部２の断面図は図２と、それぞれ同様であるものとする。
【００３４】
まず、図８を用いて電池蓋７について説明する。
【００３５】
図８（ａ）は電池収納部２の一部を成す電池蓋７の内側面の平面図、図８（ｂ）は図８（ａ）のＤ−Ｄ断面図であり、同図において、第４端子１２および第５端子１３は実施の第１の形態と同様に、第１負極接触部１２ｃおよび第３負極接触部１３ｃのそれぞれ内周部分が陥没し、中央に穴１２ｄ，１３ｄが開いた形状となっており、そこに絶縁部材１８，１９が取り付けられている。絶縁部材１８，１９は実施の第１の形態と異なり、断面がコの字形状となっている。そして第１、第３負極接触部１２ｃ，１３ｃから底部１８ａ，１９ａまでの陥没量は、単三電池３，５の正電極３ａ，５ａの突起量よりも少なく設定されている。
その他の構成は、上記実施の第１の形態と同様であるので、ここではその説明は省略する。
【００３６】
次に、上記構成のカメラに電池が挿入される際について説明する。
【００３７】
まず、第１〜第４の単三電池３〜６が電池収納部２内へ全て正しい向きに挿入された場合は、図９のように、第１の単三電池３の負電極３ｂには第４端子１２の第１負極接触部１２ｃが接し、バネ部１２ｂのバネ圧によって適正な接触圧が加えられている。ここで、図１０にて、第１の単三電池３の負電極３ｂと第４端子１２の第１負極接触部１２ｃとの接触状態をみると、負電極３ｂは第１の単三電池３の端面を広く占める円形となっている。それに相対するように、第１負極接触部１２ｃも円形を成しているが、中央の内周部分は実施の第１の形態と同様に陥没しており、負電極３ｂと接触するのは円周部ということになる。また、中央に絶縁部材１８が設けられているが、前述の様に絶縁部材１８は第１負極接触部１２ｃに対して陥没した位置にあるため、負電極３ｂとの間には隙間Ｌ１が確保され、負電極３ｂと第１負極接触部１２ｃが接触するのを妨げない。
【００３８】
これは、第３の単三電池５の負電極５ｂと第５端子１３の第３負極接触部１３ｃとの接触状態においても同様である。
【００３９】
次に、図１１にて、電池が逆挿入された場合を説明する。
【００４０】
まず、第１の単三電池３が逆挿入された場合、正電極３ａが第４端子１２の第１負極接触部１２ｃと相対することになる。ところが第１負極接触部１２ｃは導電部分が円周部だけで、中央の内周部分は陥没し、そこに絶縁部材１８が設けられている。しかも前述の様に、その陥没量は正電極３ａの突起量よりも少なく設定されているため、第１の単三電池３と第１負極接触部１２ｃの間には隙間Ｌ３が確保され、接触導通してしまうことはない。
【００４１】
また、本発明の実施の第２の形態では、上記実施の第１の形態と異なり、絶縁部材１８ａがコの字断面形状となっているため、バネ部１２ｂを介して第１負極接触部１２ｃが第１の単三電池３の正電極３ａに加えている接触圧により、正電極３ａは常に絶縁部材１８の底部１８ａに当接し、側壁１８ｂによって横方向の移動範囲を制限される。従って、もしこの状態でカメラ本体１に強い衝撃を加えて第１の単三電池３が横ずれしても、正電極３ａが第１負極接触部１２ｃに接触することはなく、絶縁状態が維持されるので、一層安全である。
【００４２】
なお、上記実施の各形態では、電池収納部に設けられる例えば正極端子（例えば９）と負極端子（例えば１２）の両方にバネ性能をもたせ、これら所定の接触圧にて電池の各電極と各端子とを接触させる構造にしているが、これに限定されるものではなく、正極端子と負極端子の少なくとも一方にバネ性能をもたせ、所定の接触圧にて電池の各電極と各端子とを接触させる構造にしても良い。
【００４３】
また、４本の電池を電池収納部に挿入可能なカメラを例にしているが、１本以上の電池を電池収納部に挿入させる電子機器に対して、同様の効果を有することは言うまでもない。
【００４４】
上記の実施の各形態によれば、以下のような効果を有する。
【００４５】
１）上記実施の第１の形態によれば、例えば電池３のみを収納する場合を例示すると、電池３の円形凸部形状をした正電極３ａと接触する正極端子（第１端子９）と、電池３の円形平面形状をした負電極３ｂと接触する負極端子（第４端子１２、絶縁部材１４）とを具備する電池収納部２を有し、前記正極端子と負極端子の両方にバネ性能（９ｂ，１２ｂ）をもち、所定の接触圧をもって電池３の各電極に接触する構造の電子機器の一例であるカメラにおいて、前記負極端子は、電池３の正電極３ａの円形凸部の円径よりも大きくかつ負電極３ｂの円形平面の円径よりも小さい範囲で、電池３の負電極と接触する負極接触部（第１負極接触部１２ｃ）と、該負極接触部の内周側に、断面形状が円錐状を成し、該円錐状に陥没しその陥没量が前記円形凸部の突起量よりも少ない絶縁凹部とを有する構造にしているので、電池３が図６のように逆挿入されて、正電極３ａが負極端子側にきたとしても、電池３の接触圧により正電極３ａの円形凸部が絶縁凹部の円錐状断面の中央に中寄せされて固定されるので、より確実に逆挿入時の絶縁性を確保することができる。
【００４６】
なお、前記電池は、略円筒形の一端に、該略円筒中心位置に円形凸部をした正電極を有し、略円筒形の他端に、凸部の無い円形平面の負電極を有する形状のものである。
【００４７】
２）上記実施の第２の形態によれば、例えば電池３のみを収納する場合を例示すると、電池３の円形凸部形状をした正電極３ａと接触する正極端子（第１端子９）と、電池３の円形平面形状をした負電極３ｂと接触する負極端子（第４端子１２、絶縁部材１８）とを具備する電池収納部２を有し、前記正極端子と負極端子の両方にバネ性能（９ｂ，１２ｂ）をもち、所定の接触圧をもって電池３の各電極に接触する構造の電子機器の一例であるカメラにおいて、前記負極端子は、電池３の正電極３ａの円形凸部の円径よりも大きくかつ負電極３ｂの円形平面の円径よりも小さい範囲で、電池３の負電極と接触する負極接触部（第１負極接触部１２ｃ）と、該負極接触部の内周側に、断面形状がコの字状を成し、該コの字状に陥没しその陥没量が前記円形凸部の突起量よりも少ない絶縁凹部とを有する構造にしているので、電池３が図１１のように逆挿入されて、正電極３ａが負極端子側にきたとしても、電池３の接触圧により正電極３ａの円形凸部が絶縁凹部のコの字状断面に保持されて負極接触部に接触できないので、より確実に逆挿入時の絶縁性を確保することができる。
【００４８】
３）前記負極端子（第４端子１２）を、負極接触部（第１負極接触部１２ｃ）から所定量離れた取付部（１２ａ）にて固定し、板バネ状に湾曲して変位して電池３に接触圧を加える構造とし、絶縁凹部（１４又は１８）を、負極接触部と一体に変位するようにしたので、負極端子１２側に絶縁構造と接触圧構造の両方をコンパクトに形成できるものとなる。
【００４９】
４）例えば電池３と電池４を収納する場合を例示すると、電池４側の前記正極端子は、電池４の正電極４ａの円形凸部と接する正極接触部（第１正極接触部１２ｅ）と、前記円形凸部の円径よりも大きく、かつ電池４の負電極４ｂの円形平面の円径よりも小さい範囲内に絶縁凸部（絶縁部材１６，１６′）を有し、該絶縁凸部の突起量を前記円形凸部の突起量よりも少ないようにしたので、電池４が例えば図６のように逆挿入されて、負電極４ｂが正極端子１２側にきたとしても、負電極４ｂが絶縁凸部（１６）に邪魔されて正極接触部（１２ｅ）に接触できないので、より確実に逆挿入時の絶縁性を確保することができる。
【００５０】
５）前記絶縁凸部（絶縁部材１６）を、前記円形凸部の円径よりも大きく、かつ電池４の負電極４ｂの円形平面の円径よりも小さい範囲内となる円弧状に形成しているので、前記絶縁凸部の体積を大きくでき、その強度を確保することができる。
【００５１】
６）前記絶縁凸部（絶縁部材１６′）を、前記円形凸部の円径よりも大きく、かつ電池４の負電極４ｂの円形平面の円径よりも小さい範囲内に柱状に形成したので、前記絶縁凸部の面積を必要最小限にでき、よりコンパクトに形成できる。
【００５２】
７）例えば電池３と電池４を収納する場合を例示すると、電池４側の正極端子１２は、正極接触部（１２ｅ）から所定量離れた取付部（１２ａ）にて固定され、板バネ状に湾曲して変位して電池４に接触圧を加える構造であり、かつ絶縁凸部（１６，１６′）を、前記正極接触部（１２ｅ）と一体に変位するようにしたので、正極端子側に絶縁構造と接触圧構造の両方をコンパクトに形成できる。
【００５３】
８）電池収納部２には複数の電池（３〜４の２本の場合を例示）を収納でき、同一の電池に接触する一対の、正極端子および負極端子（９，１０，１２，１３）のうち、一方（１２，１３）には絶縁凹部もしくは該絶縁凸部を有し、他方（９，１０）にはこれを有さないようにしたので、一つの電池に必要な絶縁機構を片側の端子のみに集約でき、部品点数やスペースを少なくすることができる。
【００５４】
最後に、請求項１に記載の発明の構成以外の本発明に係る電子機器の実施態様について以下に列挙する。
【００５５】
（実施態様１）  電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、所定の接触圧をもって電池の各電極に接触する構造の電子機器において、前記負極端子は、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、断面形状が円錐状を成し、該円錐状に陥没しその陥没量が前記円形凸部の突起量よりも少ない絶縁凹部とを有することを特徴とする電子機器。
【００５６】
（実施態様２）  電池の円形凸部形状をした正電極と接触する正極端子と、前記電池の円形平面形状をした負電極と接触する負極端子とを具備する電池収納部を有し、前記正極端子と負極端子の少なくとも一方がバネ性能をもち、所定の接触圧をもって電池の各電極に接触する構造の電子機器において、前記負極端子は、前記電池の正電極の円形凸部の円径よりも大きくかつ前記電池の負電極の前記円形平面の円径よりも小さい範囲で、前記電池の負電極と接触する負極接触部と、該負極接触部の内周側に配置され、断面形状がコの字状を成し、該コの字状に陥没しその陥没量が前記円形凸部の突起量よりも少ない絶縁凹部とを有することを特徴とする電子機器。
【００５７】
（実施態様３）  前記正極端子は、前記電池の円形凸部と接触する接触点を有することを特徴とする請求項１、実施態様１又は２に記載の電子機器。
【００５８】
（実施態様４）  前記負極端子は、前記負極接触部から所定量離れた取付部にて固定され、板バネ状に湾曲して変位し電池に接触圧を加える構造をしており、前記絶縁凹部が、前記負極接触部と一体に変位するように構成されていることを特徴とする実施態様１又は２に記載の電子機器。
【００５９】
（実施態様５）  電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、所定の接触圧をもって電池の各電極に接触する構造の電子機器において、前記正極端子は、前記電池の正電極の前記円形凸部と接する正極接触部と、前記電池の正電極の前記円形凸部の円径よりも大きく、かつ前記電池の負電極の前記円形平面の円径よりも小さい範囲内に配置される絶縁凸部とを有し、該絶縁凸部の突起量を前記円形凸部の突起量よりも少ないように形成したことを特徴とする電子機器。
【００６０】
（実施態様６）  前記負極端子は、前記電池の負電極の前記円形平面部と接触する接触点を有することを特徴とする実施態様５に記載の電子機器。
【００６１】
（実施態様７）  複数の電池の円形凸部形状をした正電極と接触する第１，第２の正極端子と、複数の電池の円形平面形状をした負電極と接触する複第１，第２の負極端子とを具備する電池収納部を有し、前記第１，第２の正極端子と前記第１，第２の負極端子の少なくとも一方がバネ性能をもち、所定の接触圧をもって電池の各電極に接触する構造の電子機器において、前記第１の負極端子は、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、断面形状が円錐状を成し、該円錐状に陥没しその陥没量が前記円形凸部の突起量よりも少ない絶縁凹部とを有し、前記第２の負極端子は、前記電池の円形平面と接触する接触点を有し、前記第１の正極端子は、前記電池の正電極の前記円形凸部と接する正極接触部と、前記電池の正電極の前記円形凸部の円径よりも大きく、かつ前記電池の負電極の前記円形平面の円径よりも小さい範囲内に配置される絶縁凸部とを有し、該絶縁凸部の突起量を前記円形凸部の突起量よりも少ないように形成され、前記第２の正極端子は、前記電池の負電極の前記円形平面と接触する接触点を有することを特徴とする電子機器。
【００６２】
（実施態様８）  前記第１の正極端子の前記絶縁凸部を、前記電池の正電極の前記円形凸部の円径よりも大きく、かつ前記電池の負電極の円形平面の円径よりも小さい範囲内となる円弧状に形成したことを特徴とする実施項態様７に記載の電子機器。
【００６３】
（実施態様９）  前記第１の正極端子の前記絶縁凸部を、前記電池の正電極の前記円形凸部の円径よりも大きく、かつ前記電池の負電極の円形平面の円径よりも小さい範囲内に柱状に形成したことを特徴とする実施態様８に記載の電子機器。
【００６４】
（実施態様１０）  前記第１の負極端子および前記第１の正極端子は、前記負極接触部および前記正極接触部から所定量離れた取付部にて固定され、板バネ状に湾曲して変位し前記電池に接触圧を加える構造であり、かつ前記絶縁凸部が、前記負極接触部および前記正極接触部と一体に変位するように構成されていることを特徴とする実施態様７乃至９の何れかに記載の電子機器。
【００６５】
【発明の効果】
以上説明したように、本発明によれば、電池収納部に電池が逆挿入されても、絶縁性の確保を確実に行うことができる電子機器を提供できるものである。
【図面の簡単な説明】
【図１】本発明の実施の各形態に係る電子機器の一例であるカメラの外観図である。
【図２】図１のカメラの電池収納部の平面および断面を示す図である。
【図３】本発明の実施の第１の形態に係るカメラの電池蓋の平面および断面を示す図である。
【図４】本発明の実施の第１の形態に係るカメラにおいて電池収納部に電池が正しく挿入された状態を示す図である。
【図５】本発明の実施の第１の形態に係るカメラにおいて単三電池の電極と端子の接触部との接触状態を示す図である。
【図６】本発明の実施の第１の形態に係るカメラにおいて逆挿入された単三電池の電極と端子の接触部との接触状態を示す図である。
【図７】本発明の実施の第１の形態に係るカメラにおいて絶縁部材を示す断面図である。
【図８】本発明の実施の第２の形態に係るカメラの電池蓋の平面および断面を示す図である。
【図９】本発明の実施の第２の形態に係るカメラにおいて電池収納部に電池が正しく挿入された状態を示す図である。
【図１０】本発明の実施の第２の形態に係るカメラにおいて単三電池の電極と端子の接触部との接触状態を示す図である。
【図１１】本発明の実施の第２の形態に係るカメラにおいて逆挿入した単三電池の電極と端子の接触部との接触状態を示す図である。
【図１２】従来例の電子機器の一例であるカメラの分解図である。
【図１３】従来のカメラにおいて電池収納部に電池が正しく挿入された状態を示す図である。
【図１４】従来のカメラにおいて電池収納部に電池が逆挿入された状態を示す図である。
【図１５】従来のカメラにおいて逆挿入された電池の状態を示す図である。
【符号の説明】
１            カメラ本体
２            電池収納部
３〜６        第１〜第４単三電池
３ａ〜６ａ    正電極
３ｂ〜６ｂ    負電極
７            電池蓋
９            第１端子
９ａ          取付部
９ｂ          バネ部
９ｃ          第１正極接触部
９ｅ          接続部
１０          第２端子
１０ａ        取付部
１０ｂ        バネ部
１０ｃ        第２負極接触部
１０ｄ        バネ部
１０ｅ        第３正極接触部
１１          第３端子
１１ａ        取付部
１１ｂ        バネ部
１１ｃ        第４負極接触部
１１ｅ        接続部
１２          第４端子
１２ａ        取付部
１２ｂ        バネ部
１２ｃ        第１負極接触部
１２ｄ        バネ部
１２ｅ        第２正極接触部
１３          第５端子
１３ａ        取付部
１３ｂ        バネ部
１３ｃ        第３負極接触部
１３ｄ      バネ部
１３ｅ      第４正極接触部
１４，１５  絶縁部材
１４ａ，１５ａ      円周部
１４ｂ，１５ｂ      中央部
１６，１７          絶縁部材
１６’，１７’      絶縁部材
１８，１９          絶縁部材
【図１】
2004253263.tif 000003
【図２】
2004253263.tif 000004
【図３】
2004253263.tif 000005
【図４】
2004253263.tif 000006
【図５】
2004253263.tif 000007
【図６】
2004253263.tif 000008
【図７】
2004253263.tif 000009
【図８】
2004253263.tif 000010
【図９】
2004253263.tif 000011
【図１０】
2004253263.tif 000012
【図１１】
2004253263.tif 000013
【図１２】
2004253263.tif 000014
【図１３】
2004253263.tif 000015
【図１４】
2004253263.tif 000016
【図１５】
2004253263.tif 000017